(57)【特許請求の範囲】
【請求項１】
構造物の外壁面を緑化する壁面緑化装置であって、
前記外壁面に対向して設けられた植物と、
前記植物よりも外方の位置に該植物に対向して配置され、前記植物を風及び日射から保護する複数の保護板と、を備え、
前記複数の保護板のうちの少なくとも幾つかの保護板については、所定方向に隣り合う保護板との間に隙間が設けられていることを特徴とする壁面緑化装置。
【請求項２】
請求項１に記載の壁面緑化装置であって、
前記複数の保護板には、有孔折板が含まれ、
前記有孔折板は、板厚方向に貫通する孔を有するとともに、断面山型形状に屈曲された山型形状部分を有していることを特徴とする壁面緑化装置。
【請求項３】
請求項１又は２に記載の壁面緑化装置であって、
前記複数の保護板には、無孔折板が含まれ、
前記無孔折板は、板厚方向に貫通する孔を有さないとともに、断面山型形状に屈曲された山型形状部分を有していることを特徴とする壁面緑化装置。
【請求項４】
請求項１乃至３の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、保水材が設けられていることを特徴とする壁面緑化装置。
【請求項５】
請求項１乃至４の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、ミストを供給するミストノズルが設けられていることを特徴とする壁面緑化装置。
【請求項６】
請求項１乃至５の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、前記植物を照らす照明が設けられていることを特徴とする壁面緑化装置。
【請求項７】
請求項１乃至６の何れかに記載の壁面緑化装置であって、
前記複数の保護板には、断面山型形状に屈曲された山型形状部分を有する折板が含まれ、
前記折板は、前記断面山型形状に屈曲する折り線を水平方向に沿わせた状態に配置されていることを特徴とする壁面緑化装置。
【請求項８】
請求項１乃至７の何れかに記載の壁面緑化装置であって、
前記複数の保護板は、該保護板の長手方向を水平方向に向け、該保護板の幅方向を鉛直方向に向けた状態で、鉛直方向に並んで配置されており、
前記所定方向は鉛直方向であることを特徴とする壁面緑化装置。
【請求項９】
請求項１乃至８の何れかに記載の壁面緑化装置であって、
前記複数の保護板には、板厚方向に貫通する孔を有した有孔平板が含まれていることを特徴とする壁面緑化装置。
【請求項１０】
請求項１乃至９の何れかに記載の壁面緑化装置であって、
前記複数の保護板には、板厚方向に貫通する孔を有さない無孔平板が含まれていることを特徴とする壁面緑化装置。
【発明の詳細な説明】
【技術分野】
【０００１】
本発明は、建物等の構造物の外壁面を緑化する壁面緑化装置に関する。
【背景技術】
【０００２】
従来、建物等の構造物の外壁面を植物で覆う壁面緑化が行われている。そして、これにより、構造物の冷却や景観の向上を図っている。  
かかる壁面緑化の方法は、幾つかのタイプに分けられる。例えば、葉や茎等といった植物の本体部分を含む植栽基盤を構造物の外壁面に貼り付けるタイプ（例えばパネル型）や、同本体部分を外壁面近傍に設けられたワイヤやネットなどに絡ませるタイプ（例えば登攀型）、あるいは、同本体部分を屋上等の上方から垂下するタイプ（例えば垂下型）などに分類される（特許文献１）。
【先行技術文献】
【特許文献】
【０００３】
【特許文献１】特開２０００−３０００７９号公報
【発明の概要】
【発明が解決しようとする課題】
【０００４】
但し、何れのタイプにあっても、植物の本体部分は、風を直接受けたり、西日や夏季の強い日射しに晒されたりする。そして、風からは、葉や茎等が揺れて擦れることや乾燥に起因したストレスを受け、また、日射からは、高温や乾燥に起因したストレスを受け、かかるストレスが過大な場合には生育不良の原因になる。
【０００５】
ここで、これらストレスの軽減策として、植物よりも側方の外方位置に外壁面と略同面積の保護板を設け、当該保護板に風や日射を受けさせることが考えられる。
【０００６】
しかしながら、保護板の形態によっては、視界を完全に遮ってしまう。例えば、保護板として貫通孔の無い無孔板を用いた場合には、保護板越しに植物を全く見られなくなる。すると、壁面緑化の目的の一つであるところの景観向上を図れなくなる。また、日射を完全に遮ってしまうと、植物の生育不良を招くおそれもある。  
本発明は、上記のような従来の問題に鑑みなされたものであって、その目的は、保護板が無孔板であるか有孔板（貫通孔を有する板）であるかといった保護板の形態の相違によらず、確実に構造物の外壁面の植物を構造物の外方から見える状態に維持するとともに、植物に作用し得る風起因のストレスや日射起因のストレスを軽減することにある。
【課題を解決するための手段】
【０００７】
かかる目的を達成するために請求項１に示す発明は、
構造物の外壁面を緑化する壁面緑化装置であって、
前記外壁面に対向して設けられた植物と、
前記植物よりも外方の位置に該植物に対向して配置され、前記植物を風及び日射から保護する複数の保護板と、を備え、
前記複数の保護板のうちの少なくとも幾つかの保護板については、所定方向に隣り合う保護板との間に隙間が設けられていることを特徴とする。
【０００８】
上記請求項１に示す発明によれば、複数の保護板を有しているので、保護板の板面にて風及び日射を確実に受けることができる。すなわち、板面の面積でもって風及び日射を受けることができる。よって、植物に作用する風や日射を確実に軽減することができる。  
他方、幾つかの保護板にあっては、所定方向に隣り合う保護板との間に隙間が設けられている。よって、当該隙間から日射を植物へ当てることができて、植物の生育不良を回避可能となる。また、当該隙間を通して植物を見ることができるので、保護板の存在下にあっても、植物を構造物の外方から見える状態に維持可能となり、結果、構造物の景観向上を図れる。
【０００９】
請求項２に示す発明は、請求項１に記載の壁面緑化装置であって、
前記複数の保護板には、有孔折板が含まれ、
前記有孔折板は、板厚方向に貫通する孔を有するとともに、断面山型形状に屈曲された山型形状部分を有していることを特徴とする。
【００１０】
上記請求項２に示す発明によれば、保護板は有孔折板を含み、有孔折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを軽減可能となる。  
また、有孔折板は、板厚方向に貫通する孔を有するので、植物への日射を部分的に遮ることができて、その結果、日射起因のストレスを軽減しつつ植物の生育不良をより有効に回避可能となる。また、当該孔を通して有孔折板越しに植物を見ることができるので、より確実に、構造物の外方から植物を見える状態にすることができて、結果、構造物の景観のより一層の向上を図れる。
【００１１】
請求項３に示す発明は、請求項１又は２に記載の壁面緑化装置であって、
前記複数の保護板には、無孔折板が含まれ、
前記無孔折板は、板厚方向に貫通する孔を有さないとともに、断面山型形状に屈曲された山型形状部分を有していることを特徴とする。
【００１２】
上記請求項３に示す発明によれば、保護板は無孔折板を含んでいるので、風起因のストレス及び日射起因のストレスの軽減効果を高めることができる。  
また、無孔折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを確実に軽減可能となる。
【００１３】
請求項４に示す発明は、請求項１乃至３の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、保水材が設けられていることを特徴とする。
【００１４】
上記請求項４に示す発明によれば、保水材により保護板は冷却される。よって、保護板の輻射熱により植物に作用し得るストレスを軽減することができる。また、かかる保水材は、山形形状部分に形成された凹状の空間内に収容されているので、保水材の付設に伴う壁面緑化装置の大型化を回避可能となる。  
また、折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを確実に軽減可能となる。
【００１５】
請求項５に示す発明は、請求項１乃至４の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、ミストを供給するミストノズルが設けられていることを特徴とする。
【００１６】
上記請求項５に示す発明によれば、ミストノズルから噴霧等により供給されるミストにより、植物の高温化や乾燥は防止される。よって、植物の生育環境を良好にすることができて、生育不良を防ぐことができる。さらに、ミストの蒸発による気化冷却効果によって、外壁面と保護板の間の空間の冷却のみならず、その周囲の空間の気温を下げる効果がある。また、かかるミストノズルは、山形形状部分に形成された凹状の空間内に収容されているので、ミストノズルの付設に伴う壁面緑化装置の大型化を回避可能となる。  
また、折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを確実に軽減可能となる。
【００１７】
請求項６に示す発明は、請求項１乃至５の何れかに記載の壁面緑化装置であって、
前記複数の保護板には、断面山型形状に屈曲された山型形状部分を有する折板が含まれ、
前記折板は、前記山型形状部分における頂部を外方に向けて配置され、
前記山型形状部分の断面山型形状に伴って前記頂部と逆側に形成された凹状の空間内には、前記植物を照らす照明が設けられていることを特徴とする。
【００１８】
上記請求項６に示す発明によれば、照明により植物は照らされるので、景観向上、特に夜間の景観向上を図れる。また、かかる照明は、山形形状部分に形成された凹状の空間内に収容されているので、照明の付設に伴う壁面緑化装置の大型化を回避可能となる。  
また、折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを確実に軽減可能となる。
【００１９】
請求項７に示す発明は、請求項１乃至６の何れかに記載の壁面緑化装置であって、
前記複数の保護板には、断面山型形状に屈曲された山型形状部分を有する折板が含まれ、
前記折板は、前記断面山型形状に屈曲する折り線を水平方向に沿わせた状態に配置されていることを特徴とする。
【００２０】
上記請求項７に示す発明によれば、保護板には、折板が含まれ、当該折板は断面山型形状に屈曲された山型形状部分を有しているので、その断面二次モーメントは高くなっており、つまり曲げ剛性が高く変形し難くなっている。よって、風の作用下においても概ね変形せずに風圧に耐えることができて、結果、風を確実に受け止めて植物の風起因のストレスを確実に軽減可能となる。
【００２１】
請求項８に示す発明は、請求項１乃至７の何れかに記載の壁面緑化装置であって、
前記複数の保護板は、該保護板の長手方向を水平方向に向け、該保護板の幅方向を鉛直方向に向けた状態で、鉛直方向に並んで配置されており、
前記所定方向は鉛直方向であることを特徴とする。
【００２２】
上記請求項８に示す発明によれば、複数の保護板が鉛直方向に並んで配置されている。よって、保護板の設置数の調整によって、構造物の外壁面に対応した大きさに容易に設定可能となる。
【００２３】
請求項９に示す発明は、請求項１乃至８の何れかに記載の壁面緑化装置であって、
前記複数の保護板には、板厚方向に貫通する孔を有した有孔平板が含まれていることを特徴とする。
【００２４】
上記請求項９に示す発明によれば、保護板には有孔平板が含まれており、かかる有孔平板には、パンチングメタル材等の汎用材を用いることができる。これにより、壁面緑化装置を安価にすることができる。
【００２５】
請求項１０に示す発明は、請求項１乃至９の何れかに記載の壁面緑化装置であって、
前記複数の保護板には、板厚方向に貫通する孔を有さない無孔平板が含まれていることを特徴とする。
【００２６】
上記請求項１０に示す発明によれば、保護板には無孔平板が含まれており、かかる無孔平板には、鋼板やアルミ板等の適宜な汎用材を用いることができる。これにより、壁面緑化装置を安価にすることができる。
【発明の効果】
【００２７】
本発明によれば、保護板が無孔板であるか有孔板であるかといった保護板の形態の相違によらず、確実に構造物の外壁面の植物を構造物の外方から見える状態に維持できるとともに、植物に作用し得る風起因のストレスや日射起因のストレスを軽減可能となる。
【図面の簡単な説明】
【００２８】
【図１】本実施形態の壁面緑化装置１０が設けられるべき構造物としての建物１の外観斜視図である。
【図２】壁面緑化装置１０を側方の外方から見た正面図であり、同装置１０の一部を拡大して示している。
【図３】図３Ａは、壁面緑化装置１０を更に拡大して示す正面図であり、図３Ｂは、図３Ａ中のＢ−Ｂ断面図である。
【図４】壁面緑化装置１０を側方の外方から見た斜視図であり、同装置１０の一部を拡大して示している。
【図５】隣り合う保護板３０との間に隙間Ｇが形成されない保護板３０が部分的に存在する場合の斜視図である。
【図６】保護板３０としての有孔折板３２の各孔３２ｈから日光や視線を効果的に取り込み可能なことを示す概略断面図である。
【図７】有孔折板３２毎に開孔率を変化させた場合の一例であって、複数水準の一例として開孔率を三水準で変化させた場合の概略断面図である。
【図８】保護板３０，３０…として無孔折板３６，３６…のみを用いた場合の概略斜視図である。
【図９】保護板３０，３０…として有孔平板３３，３３…のみを用いた場合の概略斜視図である。
【図１０】保護板３０，３０…として、有孔折板３２，３２…と無孔折板３６，３６…を用いた場合の概略斜視図である。
【図１１】保護板３０，３０…として、有孔平板３３，３３…と無孔平板３７，３７…とを用いた場合の概略斜視図である。
【図１２】保護板３０，３０…として、有孔折板３２，３２…と無孔折板３６，３６…と有孔平板３３，３３…とを用いた場合の概略斜視図である。
【図１３】保護板３０，３０…として、有孔折板３２，３２…と無孔折板３６，３６…と有孔平板３３，３３…と無孔平板３７，３７…とを用いた場合の概略斜視図である。
【図１４】図１４Ａは、折板３２（３６）に付設する機能部材の一例としての保水材５２の説明図であり、図１４Ｂは、同ミストノズル５５の説明図であり、図１４Ｃは、同照明５７の説明図である。
【図１５】図１５Ａ及び図１５Ｂは、それぞれ、折板３２（３６）の変形例の概略側面図である。
【図１６】保護板３０，３０…としての有孔折板３２，３２…を縦置き配置した場合の概略斜視図である。
【図１７】鉛直方向に隣り合う保護板３０及び水平方向に隣り合う保護板３０の両者に対して、それらとの間にそれぞれ隙間Ｇ，Ｇが形成された保護板３０，３０…を有する構成例の概略斜視図である。
【図１８】図１７中の保護板３０，３０…としての有孔平板３３’，３３’…に代えて、無孔平板３７’，３７’…を用いた場合の概略斜視図である。
【図１９】図１７中の保護板３０，３０…としての有孔平板３３’，３３’…の一部を、無孔平板３７’，３７’…に置換した場合の概略斜視図である。
【図２０】図２０Ａは、壁面緑化の垂下法を示す概略断面図であり、図１７Ｂは、同パネル法を示す概略断面図である。
【発明を実施するための形態】
【００２９】
＝＝＝本実施形態＝＝＝
図１は、本実施形態の壁面緑化装置１０が設けられるべき構造物としての建物１の外観斜視図である。この例では、建物１は地上３階建ての多目的ホールである。また、同図１中には、この壁面緑化装置１０の設置対象部分Ａ１０（以下、緑化対象部分Ａ１０とも言う）を三点鎖線で示しているが、この右側の外壁面１Ｗの例では、外壁面１Ｗの略全面を緑化対象部分Ａ１０としている。すなわち、同外壁面１Ｗの壁高方向の略全高及び同壁幅方向の略全幅に亘って壁面緑化装置１０が設けられている。但し、場合によっては、同図１中の左側の外壁面１Ｗの例のように、同外壁面１Ｗにおける壁高方向あるいは壁幅方向の所定部分のみを緑化対象部分Ａ１０として選択し、当該部分にのみ壁面緑化装置１０を設けても良い。例えば、建物１の外壁面１Ｗのうちで窓３や扉５の無い部分のみを緑化対象部分Ａ１０として選択して、当該部分のみに対向させて壁面緑化装置１０を設けても良いし、或いは、外壁面１Ｗのうちで出入口５が設けられる一階部分を除き二階部分や三階部分のみに壁面緑化装置１０を設けても良い。また、場合によっては、窓３の部分も緑化対象部分Ａ１０として選択し、同部分に壁面緑化装置１０を設けても良い。
【００３０】
図２乃至図４は、本実施形態の壁面緑化装置１０の説明図である。図２は、壁面緑化装置１０を側方の外方から見た正面図であり、同装置１０の一部を拡大して示している。また、図３Ａは、同壁面緑化装置１０を更に拡大して示す正面図であり、図３Ｂは、図３Ａ中のＢ−Ｂ断面図である。また、図４は、壁面緑化装置１０を側方の外方から見た斜視図であり、同装置１０の一部を拡大して示している。なお、図２、図３Ａ、及び図４では、壁面緑化に供する植物２０を不図示としている。
【００３１】
図３Ａ及び図３Ｂに示すように、この壁面緑化装置１０は、建物１の外壁面１Ｗに対向して設けられ同壁面１Ｗを緑化する植物２０と、当該植物２０よりも側方の外方位置に該植物２０に対向して配置され、該植物２０を風及び日射から保護する複数の保護板３０，３０…と、を有している。
【００３２】
図３Ｂに示すように植物２０は、壁面緑化の既知の手法を用いて外壁面１Ｗの近傍に設けられる。この例では、つる植物による登攀法が使用されている。すなわち、外壁面１Ｗにおける緑化対象部分Ａ１０の最下部近傍に植栽用のプランター２１を配置するとともに、上下方向に延在する登攀用の複数のワイヤ２２，２２…（或いはネット）を壁幅方向に間欠的に配置し、これらワイヤ２２，２２…につる植物２０を登攀させることによりつる植物２０の葉や茎などで外壁面１Ｗの緑化対象部分Ａ１０を覆い、これにより、壁面緑化が実現されている。なお、つる植物２０の具体例としては、ヘデラやオオイタビ等が挙げられ、同つる植物２０の植栽基盤２０ｂはプランター２１内に収容されている。また、緑化対象部分Ａ１０が地上１階を含む場合には、プランター２１は例えば地面ＧＮＤ或いは基礎Ｂ等に載置され、他方、緑化対象部分Ａ１０が地上１階を含まず、地上二階以上や地上三階以上を含む場合には、当該緑化対象部分Ａ１０の最下部近傍に設けられたグレーチング等の不図示の床部材上に、プランター２１は載置される。また、図３Ｂの例では、つる植物２０と外壁面１Ｗとの間に間隔Ｄ２０が設けられているが、この間隔Ｄ２０は無くても良く、つまりつる植物２０を外壁面１Ｗに当接させても良い。なお、これ以外の壁面緑化の手法（例えば「垂下法」や「パネル法」）については後述する。
【００３３】
一方、保護板３０，３０…は、前述のように植物２０を風や日射から保護すべく、植物２０よりも外方位置、つまり、側方に関して植物２０よりも外壁面１Ｗから遠い位置に配置されている。更に換言すると、保護板３０，３０…は、外壁面１Ｗの側方に間隔Ｄ３０を隔てつつ外壁面１Ｗに一方（裏側）の板面を対向して配置され、これら外壁面１Ｗと保護板３０，３０…との間に植物２０が介装されている。そして、かかる配置によれば、植物２０が風や日射を受ける前に、保護板３０，３０…がこれら風や日射を受けて、弱められた風や日射が植物２０に当たるため、植物２０への風起因や日射起因のストレスが有効に軽減される。
【００３４】
この例では、かかる保護板３０，３０…として、板長方向（長手方向）と板幅方向（幅方向）と板厚方向（厚さ方向）とを有した平面視略矩形形状の複数の有孔折板３２，３２…が設けられている。そして、図３Ａ及び図２に示すように、各有孔折板３２は、その板長方向を水平方向（外壁面１Ｗの壁幅方向）に向け、板幅方向を鉛直方向（外壁面１Ｗの壁高方向）に向けつつ、鉛直方向に略一列に並んで配置されている。これにより、有孔折板３２のもう一方（表側）の板面が側方の外方を向いた状態にされている。そして、この鉛直方向に並ぶ複数の有孔折板３２，３２…の一群を一つのユニットＵ３２とし、かかるユニットＵ３２が、外壁面１Ｗの壁幅方向に沿って複数並んで配置され、これらユニットＵ３２，Ｕ３２…によって外壁面１Ｗの緑化対象部分Ａ１０は側方から覆われている。ちなみに、当該ユニットＵ３２，Ｕ３２…については、図１中にも二点鎖線で模式的に示している。
【００３５】
図４の斜視図に示すように、各有孔折板３２は、適宜な支持部材４０に支持されている。支持部材４０としては、例えば、建物１の外壁面１Ｗから側方に突出するステイ部材４２，４２…と、ステイ部材４２，４２…に支持されて上下方向に延在する柱状部材４４，４４…と、を有した構成を例示できる。そして、かかるステイ部材４２，４２…及び柱状部材４４，４４…は、それぞれ壁幅方向に間欠的に並んで設けられており、更に、互いに隣り合う柱状部材４４と柱状部材４４とに、各有孔折板３２，３２が水平方向に架け渡されてボルト止め等で固定されることにより、各有孔折板３２，３２…は柱状部材４４に支持されている。
【００３６】
有孔折板３２は、その名が示すように、板厚方向に貫通する複数の孔３２ｈ，３２ｈ…と、断面山型形状に屈曲された山型形状部分３２ｍと、を有している。断面山型形状への屈曲は、同板３２上に設定された折り線Ｌ３２，Ｌ３２…に沿って折り曲げることでなされている。そして、かかる折り線Ｌ３２，Ｌ３２…は、板長方向に沿っており、これにより、板幅方向に平行な断面で有孔折板３２を切断した際の断面形状が断面山型形状にされている。なお、当該山型形状部分３２ｍを有することで、有孔折板３２の断面二次モーメントは大幅に向上しており、これにより、板面の法線方向から作用する風圧に対向するための曲げ剛性が高められている。よって、有孔折板３２は略変形することなく、風をしっかりと受け止めることができる。
【００３７】
なお、この例では、各有孔折板３２は、それぞれ山型形状部分３２ｍを一つだけ有し、且つ有孔折板３２の外形寸法は、規格寸法などに基づいて全ての有孔折板３２，３２…に亘って同一サイズに揃っているが、何等これに限るものではない。例えば、一つの有孔折板３２に対して板幅方向に山型形状部分３２ｍ，３２ｍ…を複数形成しても良いし、或いは、上記の有孔折板３２を板幅方向に二枚や三枚などの複数枚並べた外形寸法の有孔折板を使用しても良い。
【００３８】
ここで、本実施形態では、図４に示すように上下方向（所定方向に相当）に隣り合う有孔折板３２，３２同士の間に隙間Ｇが形成されるように有孔折板３２，３２…を配置している。つまり、有孔折板３２の下端縁３２ｅｄと、その下方に隣り合う有孔折板３２の上端縁３２ｅｕとの間には横長スリット状の隙間Ｇが設けられており、当該隙間Ｇを通して風や日光が植物２０に当たるようになっている。よって、大部分の風や日射は有孔折板３２が受け止め、隙間Ｇ，Ｇ…を介して減量された小量の風や日射が植物２０に当たるようになっており、これにより、植物２０への風起因のストレスや日射起因のストレスを軽減しつつ、植物２０の生育に必要な量の日射を確保している。また、図３Ｂに示すように、各隙間Ｇ，Ｇ…を通して有孔折板３２越しに植物２０を見ることができるので、植物２０を建物１の外方から観賞可能な状態に維持できて、結果、壁面緑化の主目的たる建物１の景観向上を図れる。かかる隙間Ｇの上下方向の大きさＤＧ（図４）は、例えば３０ｍｍ〜有効折板３２の板幅（板幅方向の寸法）程度の範囲から選択され、この範囲に設定すれば、上述の作用効果を確実に奏することができる。但し、隙間Ｇの大きさは、有孔折板３２の幅にも左右されるので、後述するように、全体の開孔率（緑化対象部分Ａ１０に占める隙間Ｇと孔３２ｈとの両者の開口面積の割合）で規定するのが望ましい。
【００３９】
なお、図２乃至図４の例では、全ての有孔折板３２，３２…に亘って、上下方向に隣り合う有孔折板３２，３２同士の間に隙間Ｇを形成していたが、何等これに限るものではない。例えば、図５の斜視図に示すように、上下方向に隣り合う有孔折板３２との間に隙間Ｇが形成されない有孔折板３２が、部分的に存在しても良い。すなわち、幾つかの有孔折板３２，３２…については隙間Ｇを設ける一方、他の幾つかの有孔折板３２，３２…については、有孔折板３２の下端縁３２ｅｄと、その下方に隣り合う有孔折板３２の上端縁３２ｅｕとを突き合わせて配置して隙間Ｇを設けないようにしても良い。
【００４０】
また、図２乃至図４の例では、既述のように、各有孔折板３２は、それぞれ板厚方向に貫通する複数の孔３２ｈ，３２ｈ…を有している。そして、これら孔３２ｈ，３２ｈ…を通すことにより、減量された風や日射が植物２０に当たるとともに、当該植物２０を外方から見ることができる。よって、上述の隙間Ｇだけでなく、これら孔３２ｈ，３２ｈ…も、風や日射起因のストレスを軽減しながらの生育に必要な日射量の確保、及び植物２０を建物１の外方から観賞し易くすることに有効に寄与する。
【００４１】
かかる孔３２ｈ，３２ｈ…は、図４及び図６の概略断面図に示すように、有孔折板３２の山型形状部分３２ｍの頂部３２ｍｐの両脇に位置する各斜面部分３２ｍｋ，３２ｍｋにそれぞれ形成されている。すなわち、頂部３２ｍｐよりも上側に位置する上側斜面部３２ｍｋ、および頂部３２ｍｐよりも下側に位置する下側斜面部３２ｍｋの両者にそれぞれ複数の孔３２ｈ，３２ｈ…が貫通形成されている。これにより、図６に示すように、主に上側斜面部３２ｍｋの孔３２ｈ，３２ｈ…から日光を取り込んで植物２０に当てることができ、また、主に下側斜面部３２ｍｋの孔３２ｈ，３２ｈ…を通して、人は外方から植物２０を見ることができる。よって、保護板３０，３０…が、人の身長よりも高い高所に配置された場合であっても、植物２０への適度な日射を確保しつつ景観の向上を確実に図ることができて、当該壁面緑化装置１０は、設置位置の自由度に長ける。
【００４２】
また、同図４及び図６の例では、斜面部３２ｍｋ，３２ｍｋだけでなく、頂部３２ｍｐにも孔３２ｈ，３２ｈ…が貫通形成され、更に斜面部３２ｍｋ，３２ｍｋから上下方向に所定幅で延在する各底面部３２ｂ，３２ｂにも孔３２ｈ，３２ｈ…が形成されており、これにより、有孔折板３２越しの植物２０の観賞をより容易にしている。
【００４３】
かかる孔３２ｈの形状の一例として、ここでは、図３Ａ及び図４に示す頂部３２ｍｐや斜面部３２ｍｋの孔３２ｈの如き正円形状や、底面部３２ｂの孔３２ｈの如き長円形状を例示しているが、何等これに限るものではない。すなわち、正円形状や楕円形状以外の円形形状（例えば、曲率の異なる複数の円弧を組み合わせた形状など）や、三角形や四角形などの多角形でも良いし、これら円形形状及び多角形形状を部分的に組み合わせてなる複合形状でも良いし、星形等の適宜な図柄に基づく形状でも良い。
【００４４】
また、孔３２ｈの配置パターンも、図３Ａ及び図４に示す斜面部３２ｍｋの孔３２ｈの如き千鳥パターンや、頂部３２ｍｐや底面部３２ｂの孔３２ｈの如き板長方向に所定ピッチで一列に整列した一列パターンに限るものではなく、格子パターンでも良いし、適宜な図柄に基づくパターンでも良い。
【００４５】
また、望ましくは、各孔３２ｈの開孔面積は、観賞性等を勘案して適宜な大きさに設定して良い。各有孔折板３２の開孔率（つまり、有孔折板３２の板面（ここでいう板面には孔３２ｈも含む）に占める全開孔面積の割合）は、１０〜５０％の範囲から選択されると良い。そして、このような範囲から選択されれば、植物２０への風起因や日射起因のストレスを有効に軽減し、且つ、有孔折板３２越しに植物２０をより確実に見ることができるようになる。また、有孔折板３２毎に、各孔３２ｈの開孔面積或いは開孔率を異ならせても良い。図７の例では、開孔率が５０％、３０％、及び１０％の有孔折板３２，３２…が、この順番で順次上から下に並んで配置されているが、ここで、これら有孔折板３２，３２…の上下方向の並び順を変えたり、或いは各有孔折板３２の開孔率を上記数値から変更したりすれば、これら有孔折板３２，３２…を見た際の全体的な印象は変化する。よって、有孔折板３２毎に各孔３２ｈの開孔率や開孔面積を適宜変更することにより、壁面緑化装置１０上に様々なデザインを表現可能となる。
【００４６】
なお、植物２０に必要な日照量は植物種によって変化するが、かかる日照量確保の観点からは、壁面緑化装置１０の開孔率として、有孔折板３２の孔３２ｈと隙間Ｇとの両者を含めた全体の開孔率を調整すればよい。低照度条件でも生育できるヘデラ類の場合には、通風の阻害等を考慮すると、壁面緑化装置１０の開孔率として、概ね２０％以上の開孔率が確保されていることが望ましい。
【００４７】
かかる保護板３０の素材としては、例えば、鋼やアルミニウム等の金属や木、樹脂などが挙げられ、この例では、耐候性を高めるべく溶融亜鉛メッキ鋼板が使用されている。但し、何等上述に限らず、つまり、保護板３０として風や日射を直受けしても変形しない程度の剛性や化学的安定性を有した材料であれば、上記以外の材料を用いても良い。
【００４８】
ところで、上述の実施形態では、図２乃至図５に示すように、保護板３０，３０…として有孔折板３２，３２…のみを用いていたが、何等これに限るものではない。すなわち、所定方向の一例たる上下方向に隣り合う保護板３０，３０同士の間に隙間Ｇが形成されていれば、保護板３０，３０…として有孔折板３２以外の板材を用いることも可能である。例えば、無孔折板３６や有孔平板３３、無孔平板３７を用いても良い。なお、ここで言う「無孔折板３６」とは、板厚方向に貫通する孔３２ｈを有さない板材であって、断面山型形状に屈曲された山型形状部分３２ｍを有した板材のことであり（図８）、また、「有孔平板３３」とは、板厚方向に貫通する孔３２ｈを有する平らな板材のことであり（図９）、更に、「無孔平板３７」とは、板厚方向に貫通する孔３２ｈを有さない平らな板材のことである（図１１）。ちなみに、有孔平板３３には、例えば汎用品のパンチングメタル材等を適用可能である。
【００４９】
図８に、無孔折板３６，３６…のみを用いた場合の斜視図を示し、図９に、有孔平板３３のみを用いた場合の斜視図を示す。図８の例では、保護板３０，３０…として複数の無孔折板３６，３６…が、上下方向に隣り合う無孔折板３６との間に隙間Ｇを設けながら、緑化対象部分Ａ１０の全面に亘って配置されている。また、図９の例では、保護板３０，３０…として複数の有孔平板３３，３３…が、上下方向に隣り合う有孔平板３３との間に隙間Ｇを設けながら、緑化対象部分Ａ１０の全面に亘って配置されている。なお、無孔平板３７のみを用いた例については、図９の有孔平板３３において単に孔３２ｈを無くせば、その例に該当するので、その説明については省略する。
【００５０】
また、図１０乃至図１３の各斜視図には、保護板３０，３０…として、有孔折板３２，３２…と無孔折板３６，３６…と有孔平板３３，３３…と無孔平板３７，３７…との中から複数種類を選択して組み合わせた場合のバリエーションを例示している。
【００５１】
すなわち、先ず、図１０の例では、保護板３０，３０…として、複数の有孔折板３２，３２…と、複数の無孔折板３６，３６…とが、上下方向に隣り合う保護板３０，３０同士の間に隙間Ｇを設けながら、所定の混合割合（枚数比）（ここでは２：１）で混合配置されている。ここで当該図１０の別のバリエーションとしては、同図１０中における全ての無孔折板３６を、有孔平板３３或いは無孔平板３７に置換したものや、逆に、同図１０中における全ての有孔折板３２を、有孔平板３３或いは無孔平板３７に置換したものが挙げられる。また、図１１の例では、保護板３０，３０…として複数の有孔平板３３，３３…と無孔平板３７，３７…とが、上下方向に隣り合う保護板３０，３０同士の間に隙間Ｇを設けながら、所定の混合割合（ここでは２：１）で混合配置されている。
【００５２】
また、図１２の例では、保護板３０，３０…として、複数の有孔折板３２，３２…と、複数の無孔折板３６，３６…と、複数の有孔平板３３，３３…とが、上下方向に隣り合う保護板３０，３０同士の間に隙間Ｇを設けながら、所定の混合割合（ここでは２：１：１）で混合配置されている。更に、図１３の例では、保護板３０，３０…として、複数の有孔折板３２，３２…と、複数の無孔折板３６，３６…と、複数の有孔平板３３，３３…と、複数の無孔平板３７，３７…とが、上下方向に隣り合う保護板３０，３０同士の間に隙間Ｇを設けながら、所定の混合割合（ここでは１：１：１：１）で混合配置されている。
【００５３】
ちなみに、これら図８乃至図１３の例にあっても、図５を参照して既述したように、隣り合う保護板３０との間の隙間Ｇが無い保護板３０を、部分的に存在させても良く、そのようにすれば、デザイン性が向上する。
【００５４】
ところで、図４や図８等の例のように保護板３０として有孔折板３２又は無孔折板３６という折板３２（３６）を用いた場合であって、図３Ｂの例のように、各折板３２の山型形状部分３２ｍの頂部３２ｍｐを、側方の外方、つまり、建物１の外壁面１Ｗとは逆側に向けて配置した場合には、山型形状部分３２ｍの断面山型形状に伴って頂部３２ｍｐと逆側に形成された凹状の空間ＳＰ３２ｍは、植物２０や建物１の外壁面１Ｗと対向状態になる。そして、この場合に、この凹状の空間ＳＰ３２ｍに、各種の機能部材を収容しても良い。
【００５５】
機能部材の一例としては、保水材５２やミストノズル５５、照明５７等が挙げられる。そして、これらのうちの一種類或いは複数種類を組み合わせて、上記の凹状の空間ＳＰ３２ｍに収容しても良い。
【００５６】
図１４Ａに示す保水材５２は、保水性を有する部材であり、具体例としては、不織布や織布等の繊維状部材、スポンジ状部材、保水性石材、保水性セラミック部材等が挙げられる。そして、かかる保水材５２と共に上記凹状の空間ＳＰ３２ｍに収容される給水管５３からの給水によって、保水材５２はほぼ常時水分を保持し、その蒸発時の気化熱により、折板３２（３６）を冷却して同折板３２（３６）の日射吸収起因の高温化を防ぐ。これにより、折板３２（３６）が輻射熱源となることを防ぎ、その結果、植物２０の周囲空間が暑熱環境になることを有効に回避可能となる。給水管５３は、例えば、その管軸方向を折板３２（３６）の板長方向に沿わせて配置され、同給水管５３には管軸方向に間欠的に複数の給水口部（不図示）が設けられている。給水口部は、例えばノズルや点滴装置（またはドリッパー）である。そして、適宜な給水ポンプ（不図示）等により給水管５３に送られる冷却水が、各給水口部から保水材５２へと供給されるようになっている。なお、かかる給水管５３は必須構成ではない。すなわち、保水材５２への給水を、雨水によって賄っても良い。但し、給水管５３を設けた方が、天候に左右されずに保水材５２を保水状態に維持できるので、その方が好ましい。また、図１４Ａの例では、鉛直方向に並ぶ折板３２（３６），３２（３６）…の一つおきに保水材５２を設けているが、何等これに限るものではなく、複数おきに設けても良いし、全ての折板３２（３６），３２（３６）…に対して設けても良い。
【００５７】
ミストノズル５５は、図１４Ｂに示すように、植物２０にミストを供給して植物２０の高温化や乾燥を防ぐものであり、ミストの噴射口を植物２０の方に向けて配置されている。ミストノズル５５，５５…は、例えば、折板３２（３６）の板長方向に間欠的に複数配置され、また、ミストノズル５５への水の供給は、例えば、ミストノズル５５と共に上記凹状の空間ＳＰ３２ｍに収容される給水管（不図示）によって行われる。なお、図１４Ｂの例では、鉛直方向に並ぶ折板３２（３６），３２（３６）…の一つおきにミストノズル５５を設けているが、何等これに限るものではなく、複数おきに設けても良いし、全ての折板３２（３６），３２（３６）…に対して設けても良い。さらに、ミストの粒径を２０μｍ程度以下とすることによって、ミストの蒸発による気化冷却効果が促進され、外壁と保護板の間の空間の冷却のみならず、その周囲の空間の気温を下げる効果がある。
【００５８】
照明５７は、例えばＬＥＤ照明であり、図１４Ｃに示すように、その投光方向を植物２０の方に向けて配置されている。そして、夜間に植物２０を照らし、これにより夜間の景観が向上される。また、夜間でも植物２０は光合成を行えるようになるので、植物２０の生育を促すことができる。また、図１４Ｃの例では、かかる照明５７を、折板３２（３６）の下側斜面部３２ｍｋ上に固定しているので、植物２０は斜め下方からライトアップされて夜間の景観が更に向上される。但し、照明５７の配置位置は何等これに限らず、例えば上側斜面部３２ｍｋ上に固定して植物２０を斜め上方から照らすようにしても良い。また、図１４Ｃの例では、鉛直方向に並ぶ折板３２（３６），３２（３６）…の一つおきに照明５７を設けているが、何等これに限るものではなく、複数おきに設けても良いし、全ての折板３２（３６），３２（３６）…に対して設けても良い。
【００５９】
図１５Ａは、折板３２（３６）の変形例の概略側面図である。上述の実施形態では、折板３２（３６）は、板厚方向に一枚だけ配置された一枚構成であったが、この変形例では、折板３２（３６），３２（３６）が板厚方向に二枚並んで配された二枚構成である点で相違する。すなわち、この変形例では、二枚の折板３２（３６），３２（３６）を、互いの間に板厚方向に一定間隔Ｄ３２をあけながら対向配置し、これら折板３２（３６），３２（３６）同士を連結ロッド等の適宜な連結部材（不図示）で連結することにより、これら折板３２（３６），３２（３６）を一部材３２ａ（３６ａ）として用いている。そして、このようにすれば、保護板３０の曲げ剛性を更に高めることができる。ちなみに、必要に応じて、これら折板３２（３６），３２（３６）同士の間に区画される空間ＳＰ３２内に前述の保水材５２や給水管５３を設けても良い。
【００６０】
また、二枚構成に係る二枚の折板３２（３６），３２（３６）のうちで建物１側に配置される方の折板３２（３６）については、当該折板３２（３６）に代えて、有孔平板３３或いは無孔平板３７を用いても良い。つまり、折板３２（３６）の山型形状部分３２ｍに係る前述の凹状の空間ＳＰ３２ｍを、建物１側から囲むようにして平板３３（３７）を配置し、かかる平板３３（３７）を、折板３２（３６）の底面部３２ｂ，３２ｂに当接させてボルト等で固定することにより、当該凹状の空間ＳＰ３２ｍを閉じている。そして、この場合も保護板３０の曲げ剛性の向上を図れる。また、必要に応じて、この閉じた凹状の空間ＳＰ３２ｍに前述の保水材５２等を設けても良い。
【００６１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００６２】
上述の実施形態では、壁面緑化装置１０の設置対象の構造物として建物１を例示したが、構造物は何等建物１に限らない。すなわち、ここで言う「構造物」とは、土地ＧＮＤ（地面ＧＮＤ）に定着する物を意味し、よって、上記の建物１、つまり柱、壁、及び屋根を有する建築物以外であっても良い。例えば、「構造物」の概念には、土地ＧＮＤに定着して立設された単なる塀や機械設備なども含まれる。
【００６３】
上述の実施形態では、保護板３０，３０…として有孔折板３２，３２…などを所謂横置き配置していた。すなわち、図４に示すように保護板３０の板長方向を水平方向に向け、同板幅方向を鉛直方向に向けながら、複数の保護板３０，３０…を同鉛直方向に並べて配置していた。しかし、何等これに限るものではなく、縦置き配置しても良い。すなわち、図１６の斜視図に示すように、保護板３０の板長方向を鉛直方向（外壁面１Ｗの壁高方向）に向け、同板幅方向を水平方向（外壁面１Ｗの壁幅方向）に向けながら、複数の保護板３０，３０…を同水平方向に並べて配置しても良い。そして、このように縦置き配置された場合には、各保護板３０，３０…は、水平方向（所定方向に相当）に隣り合う保護板３０との間に縦長スリット状の隙間Ｇが形成されるように配置され、これにより、当該隙間Ｇを通して植物２０への日射が確保され、また同隙間Ｇを通して外方から植物２０を観賞可能となる。  
なお、かかる保護板３０，３０…を支持する支持部材４６としては、例えば、建物１の外壁面１Ｗから側方に突出するステイ部材４２，４２…と、ステイ部材４２，４２…に支持されて壁幅方向（水平方向）に延在する梁状部材４８，４８…と、を有した構成を例示できる。そして、かかるステイ部材４２，４２…及び梁状部材４８，４８…は、それぞれ壁高方向に間欠的に並んで設けられており、更に、互いに隣り合う梁状部材４８と梁状部材４８とに、各保護板３０，３０…が鉛直方向に架け渡されてボルト止め等で固定されることにより、各保護板３０，３０…は梁状部材４８に支持されている。また、この縦置き配置の場合にも、上記横置き配置を例に説明した種々の具体例や変形例等が成立するのは言うまでもない。
【００６４】
なお、更に言えば、上述の縦置き配置と前述の横置き配置とを組み合わせても良い。すなわち、請求項に係る「所定方向」のことを、鉛直方向（壁高方向）及び水平方向（壁幅方向）の二方向と捉えても良い。具体的には、図１７の斜視図に示すように、鉛直方向に隣り合う保護板３０，３０同士の間に隙間Ｇが形成されるように各保護板３０，３０…を配置し、且つ、水平方向に隣り合う保護板３０，３０同士の間にも隙間Ｇが形成されるように各保護板３０，３０…を配置しても良い。この図１７の例では、略正方形形状の保護板３０，３０…が格子状に配置されている。すなわち、各保護板３０の板面を側方の外方に向けながら、複数の保護板３０，３０…が、壁高方向に第１ピッチで且つ壁幅方向に第２ピッチで配置されている。そして、各保護板３０には、壁高方向に隣り合う保護板３０との間に隙間Ｇが形成されているとともに、壁幅方向に隣り合う保護板３０との間にも隙間Ｇが形成されている。  
但し、保護板３０，３０…の配置パターンは何等格子状に限らず、これ以外の配置パターンでも良い。また、この例では保護板３０，３０…として有孔平板３３’，３３’…のみを用いているが、何等これに限るものではなく、例えば、有孔平板３３’に代えて図１８のように無孔平板３７’，３７’…を用いても良いし、図１９のように有孔平板３３’，３３’…と無孔平板３７’，３７’…とを千鳥状に混合して用いても良い。更には、これら有孔平板３３’や無孔平板３７’に代えて、或いは更に組み合わせて、有孔折板や無孔折板を用いても良い。また、保護板３０の平面形状についても、何等上述の略正方形形状に限るものではなく、例えば、長方形や三角形、五角形以上の多角形形状でも良いし、円形形状でも良い。  
図１７に示すように、かかる保護板３０，３０…を支持する支持部材４１としては、例えば、建物１の外壁面１Ｗから側方に突出するステイ部材４２，４２…と、ステイ部材４２，４２…に支持されて壁高方向（鉛直方向）に延在する柱状部材４４，４４…と、壁幅方向に隣り合う柱状部材４４，４４同士に架け渡された複数の梁状部材４９，４９…と、を有した構成を例示できる。そして、かかるステイ部材４２，４２…及び柱状部材４４，４４…は、それぞれ壁幅方向に間欠的に並んで設けられており、また、梁状部材４９，４９…は、壁高方向に上記第１ピッチで配置されており、これにより、各保護板３０，３０…は、対応する梁状部材４９，４９…にボルト止め等で固定されて支持されている。
【００６５】
上述の実施形態では、壁面緑化の一手法としてつる植物２０を用いた登攀法を例示したが、何等これに限るものではなく、既知の手法を適用可能である。既知の手法としては、例えば「垂下法」や「パネル法」等が挙げられる。図２０Ａ及び図２０Ｂは、それぞれ垂下法及びパネル法を示す概略断面図である。図２０Ａの垂下法は、屋上等の建物１の上部にプランター２１を配置し、プランター２１内に収容された植裁基盤２０ｂから植物２０を垂下することにより建物１の外壁面１Ｗを覆って緑化する方法である。また、後者のパネル法は、図２０Ｂに示すように、建物１の外壁面１Ｗにおける緑化対象部分Ａ１０にネット等の係止基盤２７を敷設し、この係止基盤２７に、複数の矩形パネル状の植裁基盤２８，２８…を差し込む等して順次縦横に並べながら係止固定することにより緑化対象部分Ａ１０を緑化する方法である。
【符号の説明】
【００６６】
１  建物（構造物）、１Ｗ  外壁面、３  窓、５  扉（出入口）、
１０  壁面緑化装置、
２０  植物、２０ｂ  植栽基盤、２１  プランター、２２  ワイヤ、
２７  係止基盤、２８  植裁基盤、
３０  保護板、３２  有孔折板、３２ａ  一部材、
３２ｂ  底面部、３２ｅｄ  下端縁、３２ｅｕ  上端縁、
３２ｈ  孔、３２ｍ  山型形状部分、
３２ｍｋ  上側斜面部（斜面部）、３２ｍｋ  下側斜面部（斜面部）、３２ｍｐ  頂部、
３３  有孔平板、３３’  有孔平板、
３６  無孔折板、
３７  無孔平板、３７’  無孔平板、
４０  支持部材、４２  ステイ部材、４４  柱状部材、
４６  支持部材、４８  梁状部材、
４１  支持部材、４９  梁状部材、
５２  保水材、５３  給水管、５５  ミストノズル、５７  照明、
Ｕ３２  ユニット、
ＳＰ３２ｍ  凹状の空間、ＳＰ３２  空間、Ｌ３２  折り線、
Ａ１０  緑化対象部分（設置対象部分）、
Ｇ  隙間、
ＧＮＤ  地面（土地）、Ｂ  基礎、
【図１】
0005935350.tif 000002
【図２】
0005935350.tif 000003
【図４】
0005935350.tif 000004
【図５】
0005935350.tif 000005
【図８】
0005935350.tif 000006
【図９】
0005935350.tif 000007
【図１０】
0005935350.tif 000008
【図１１】
0005935350.tif 000009
【図１２】
0005935350.tif 000010
【図１３】
0005935350.tif 000011
【図１５】
0005935350.tif 000012
【図１６】
0005935350.tif 000013
【図１７】
0005935350.tif 000014
【図１８】
0005935350.tif 000015
【図１９】
0005935350.tif 000016
【図３】
0005935350.tif 000017
【図６】
0005935350.tif 000018
【図７】
0005935350.tif 000019
【図１４】
0005935350.tif 000020
【図２０】
0005935350.tif 000021